(57)【要約】【課題】  設計変更の最終案に辿り着くまでに検討された検討案及び検討結果をテーブル情報とし、変更した設計データに関連付けて管理することにより設計の改定ノウハウを効率的に蓄積するデータ管理装置及びデータ管理システムを得る。【解決手段】  検討案として変更が施された複数のＣＡＤデータの名称及び当該検討案としたＣＡＤデータの中から選定されたＣＡＤデータの名称をテーブル化し、設計変更テーブル８を作成する設計変更テーブル作成登録部７と、設計変更テーブル８に関連するＣＡＤデータをＣＡＤデータ管理データベースから取り出して３次元ＣＡＤ装置２へ出力するＣＡＤデータ取り出し部１３とを備えた。【選択図】        図１
2006146698.tif 000002
【特許請求の範囲】
【請求項１】
ＣＡＤデータ作成手段により作成されたＣＡＤデータを格納するＣＡＤデータ管理データベースと、
前記ＣＡＤデータの構成情報を記載したデータ構成テーブルを作成するデータ構成テーブル作成登録手段と、
前記データ構成テーブル作成登録手段の制御により前記データ構成テーブルを登録するデータ構成管理データベースと、
検討案として変更が施された複数のＣＡＤデータの名称及び当該検討案としたＣＡＤデータの中から選定されたＣＡＤデータの名称をテーブル化した設計変更テーブルを作成する設計変更テーブル作成登録手段と、
前記設計変更テーブル作成登録手段の制御により前記設計変更テーブルを登録する設計変更管理データベースと、
前記設計変更管理データベースに格納されている複数の設計変更テーブルの中から所望の設計変更テーブルを設計者に選択させる選定理由表示手段と、
前記選択された設計変更テーブルに関連するデータ構成テーブルを前記データ構成管理データベースから抽出し当該データ構成テーブルに記載されている構成情報に基づき前記ＣＡＤデータ管理データベースからＣＡＤデータを取り出し前記ＣＡＤデータ作成手段へ出力するＣＡＤデータ取り出し手段とを備えたデータ管理装置。
【請求項２】
データ構成テーブルと設計変更テーブルとの関連を示す情報を作成する設計変更テーブル検索関連情報登録手段と、
前記設計変更テーブル検索関連情報登録手段の制御により前記データ構成テーブルと設計変更テーブルとの関連を示す情報を格納する設計変更テーブル検索データベースとを備え、
選定理由表示手段は、前記設計変更テーブル検索データベースに格納されている設計変更テーブルに関する情報をＣＡＤデータ作成手段の表示手段に表示させ、当該表示画面により設計者に選択を促し、
ＣＡＤデータ取り出し手段は、前記ＣＡＤデータ作成手段により選択された設計変更テーブルに関連するデータ構成テーブルを前記設計変更テーブル検索データベースから抽出することを特徴とする請求項１記載のデータ管理装置。
【請求項３】
設計変更テーブル作成登録手段は、検討案として変更が施された複数のＣＡＤデータの名称、各ＣＡＤデータを評価する複数の評価方法、各評価方法によって得られた評価値、各評価値から求める総合評価値、及び前記総合評価値に基づいて選定されたＣＡＤデータの名称を記載した設計変更テーブルを作成することを特徴とする請求項１または請求項２記載のデータ管理装置。
【請求項４】
設計変更テーブル作成手段は、各評価値を変数とする評価式を用いて総合評価値を求めることを特徴とする請求項３記載のデータ管理装置。
【請求項５】
通信回線によって接続されたＣＡＤデータ作成手段により作成されたＣＡＤデータを格納するＣＡＤデータ管理データベースと、
前記ＣＡＤデータの構成情報を記載したデータ構成テーブルを作成するデータ構成テーブル作成登録手段と、
前記データ構成テーブル作成登録手段の制御により前記データ構成テーブルを登録するデータ構成管理データベースと、
検討案として変更が施された複数のＣＡＤデータの名称及び当該検討案としたＣＡＤデータの中から選定されたＣＡＤデータの名称をテーブル化した設計変更テーブルを作成する設計変更テーブル作成登録手段と、
前記設計変更テーブル作成登録手段の制御により前記設計変更テーブルを登録する設計変更管理データベースと、
データ構成テーブルと設計変更テーブルとの関連を示す情報を作成する設計変更テーブル検索関連情報登録手段と、
前記設計変更テーブル検索関連情報登録手段の制御により前記データ構成テーブルと設計変更テーブルとの関連を示す情報を格納する設計変更テーブル検索データベースと、
前記設計変更テーブル検索データベースに格納されている複数の設計変更テーブルに関する情報を前記ＣＡＤデータ作成手段の表示手段に表示させ、当該表示画面により設計者に選択を促す選定理由表示手段と、
前記ＣＡＤデータ作成手段により選択された設計変更テーブルに関連するデータ構成テーブルを前記設計変更テーブル検索データベースから抽出し、当該データ構成テーブルに記載されている構成情報に基づき前記ＣＡＤデータ管理データベースからＣＡＤデータを取り出し前記ＣＡＤデータ作成手段へ出力するＣＡＤデータ取り出し手段とを備えたデータ管理システム。
【発明の詳細な説明】
【技術分野】
【０００１】
この発明は、例えばＣｏｍｐｕｔｅｒ−ａｉｄｅｄ  ｄｅｓｉｇｎ（以下、ＣＡＤと記載する）による設計変更を行う際に、その設計変更の意図や設計検討結果をテーブル化し、設計対象を表すＣＡＤデータと当該ＣＡＤデータの変更履歴情報とを関連付けて管理するデータ管理装置及びデータ管理システムに関するものである。
【背景技術】
【０００２】
従来のデータ管理装置は、設計変更を行うとき変更データをデータベースサーバへ登録しておき、変更前後の差分をチェックする。変更差分があればそれを設計履歴情報として管理する。またさらに、その変更が他の設計へ波及するかどうかを検査し、波及する場合は変更情報を関連部門へ送信して設計データの整合性を保つように支援している（例えば、特許文献１参照）。
【０００３】
また、従来のデータ管理装置としてサーバに複数のクライアントを接続したものがあり、クライアントにおいてサーバから入力した３次元形状データに変更を施したとき、当該クライアントから変更差分形状データと変更差分履歴をサーバへ送信する。これらを受信したサーバは、他のクライアントへ変更された内容、即ち変更差分履歴を追加した形状変更履歴と変更差分形状データを追加した３次元形状データとを送信する。また、複数のクライアントによってデータ変更が行われたとき、サーバの変更要求管理部は、先に行われた変更内容と後から要求された変更内容の整合性をチェックし、先に行われた変更により後の変更が実現できない場合は後の変更を削除して、当該後の変更を行ったクライアントへメッセージなどを送信する。
このように一つのモデルに対して、複数の設計者が平行してモデリング作業を行うとき、速やかに各設計者によって修正された設計内容の共有化を図り、設計対象全体の整合性を維持している（例えば、特許文献２参照）。
【０００４】
また、製造工程や業務過程で製造された成果物を統合管理するとき、Ｐｒｏｄｕｃｔ  Ｄａｔａ  Ｍａｎａｇｅｍｅｎｔ（以下、ＰＤＭと記載する）システムが用いられており、このＰＤＭシステムや前述のデータ管理装置等では、最終決定案に辿り着くまでに検討された検討案や検討結果を表すデータ等が管理されず、改定されたＣＡＤデータとこれらの検討案等とを関連付けて管理されない。これら検討案や検討結果を表すデータは、担当の設計者個人が管理する情報となって複数の設計者の間では共有化されない。
【０００５】
【特許文献１】特開平１１−３９３５６号公報（第３頁,第４頁、図１，図２）
【特許文献２】特開２００１−２４９８３９号公報（第４頁，第５頁、図１〜図３）
【発明の開示】
【発明が解決しようとする課題】
【０００６】
従来のデータ管理装置は以上のように構成されているので、検討案や検討結果のデータは、担当の設計者個人が管理する情報となって複数の設計者の間で共有化されず、設計の改定に関係していない設計者は、設計変更理由や検討案の絞込み理由を容易に知ることができず、効率良く設計の改定ノウハウを蓄積することが難しいという課題があった。
【０００７】
この発明は上記のような課題を解決するためになされたもので、設計変更の最終案に辿り着くまでに検討された検討案及び検討結果をテーブル情報とし、変更した設計データに関連付けて管理することにより設計の改定ノウハウを効率良く蓄積するデータ管理装置及びデータ管理システムを得ることを目的とする。
【課題を解決するための手段】
【０００８】
この発明に係るデータ管理装置は、ＣＡＤデータ作成手段により作成されたＣＡＤデータを格納するＣＡＤデータ管理データベースと、ＣＡＤデータの構成情報を記載したデータ構成テーブルを作成するデータ構成テーブル作成登録手段と、データ構成テーブル作成登録手段の制御により前記データ構成テーブルを登録するデータ構成管理データベースと、検討案として変更が施された複数のＣＡＤデータの名称及び当該検討案としたＣＡＤデータの中から選定されたＣＡＤデータの名称をテーブル化した設計変更テーブルを作成する設計変更テーブル作成登録手段と、設計変更テーブル作成登録手段の制御により設計変更テーブルを登録する設計変更管理データベースと、設計変更管理データベースに格納されている複数の設計変更テーブルの中から所望の設計変更テーブルを設計者に選択させる選定理由表示手段と、選択された設計変更テーブルに関連するデータ構成テーブルをデータ構成管理データベースから抽出し当該データ構成テーブルに記載されている構成情報に基づきＣＡＤデータ管理データベースからＣＡＤデータを取り出し、ＣＡＤデータ作成手段へ出力するＣＡＤデータ取り出し手段とを備えたものである。
【発明の効果】
【０００９】
この発明によれば、ＣＡＤデータの構成情報を記載したデータ構成テーブルを作成するデータ構成テーブル作成登録手段と、検討案として変更が施された複数のＣＡＤデータの名称及び当該検討案としたＣＡＤデータの中から選定されたＣＡＤデータの名称をテーブル化した設計変更テーブルを作成する設計変更テーブル作成登録手段と、設計変更管理データベースに格納されている複数の設計変更テーブルの中から所望の設計変更テーブルを設計者に選択させる選定理由表示手段と、選択された設計変更テーブルに関連するデータ構成テーブルに記載されている構成情報に基づき、ＣＡＤデータをＣＡＤデータ作成手段へ出力するＣＡＤデータ取り出し手段とを備えたので、設計改定ノウハウの効率的な蓄積及び共有化を図ることができるという効果がある。
【発明を実施するための最良の形態】
【００１０】
以下、この発明の実施の一形態を説明する。
実施の形態１．
図１は、この発明の実施の形態１によるデータ管理装置の構成を示すブロック図である。図示したデータ管理装置１は３次元ＣＡＤ装置２に接続される。３次元ＣＡＤ装置２は、例えば画面表示を行う表示手段とキーボード等の入力／操作手段とを備えたパソコン等から成り、３次元ＣＡＤプログラム等を稼動させて設計対象を３次元画像として表示しながら設計等を行い、３次元ＣＡＤデータを作成するものである。また３次元ＣＡＤ装置２は、３次元ＣＡＤデータの作成や変更等を行うと共に、設計者がデータ管理装置１の動作設定等を行う設計者端末としての機能を有する。
【００１１】
データ管理装置１は、３次元ＣＡＤ装置２によって作成された３次元ＣＡＤデータを記憶／登録する３次元ＣＡＤデータ管理データベース（以下、データベースをＤ／Ｂと記載する）３と、３次元ＣＡＤデータ管理Ｄ／Ｂ３に格納されている各３次元ＣＡＤデータが表す構成要素の名称からなるデータ構成テーブル５を作成するデータ構成テーブル作成登録部４と、当該データ構成テーブル５を記憶／登録するデータ構成管理Ｄ／Ｂ６とを備える。
またデータ管理装置１は、データ構成テーブル作成登録部４から各データ構成テーブル５の名称を表すデータを入力して設計変更テーブル８を作成する設計変更テーブル作成登録部７と、当該設計変更テーブル８を記憶／登録する設計変更管理Ｄ／Ｂ９とを備える。設計変更テーブル８は、検討案毎に作成された各データ構成テーブル５の名称、検討案の評価方法、評価方法を用いたときに得られた評価値、及び各検討案の中から最終的に設計者によって選択された検討案のデータ構成テーブル５の名称によって構成されるものである。
【００１２】
またデータ管理装置１は、データ構成テーブル５の名称と設計変更テーブル８の名称とを関連付け、この情報を設計変更テーブル検索Ｄ／Ｂ１１へ記憶／登録させる設計変更テーブル検索関連情報登録部１０と、設計変更テーブル検索Ｄ／Ｂ１１及び設計変更管理Ｄ／Ｂ９に記憶／登録されている内容を検索し、各Ｄ／Ｂに格納されている内容を所定の表示手段を制御して表示させる選択理由表示部１２と、設計変更テーブル検索Ｄ／Ｂ１１に登録されている内容に基づいて３次元ＣＡＤデータ管理Ｄ／Ｂ３から所定の３次元ＣＡＤデータを取り出して３次元ＣＡＤ装置２へ出力する３次元ＣＡＤデータ取り出し部１３とを備える。
なお、３次元ＣＡＤデータ管理Ｄ／Ｂ３、データ構成管理Ｄ／Ｂ６、設計変更管理Ｄ／Ｂ９、及び設計変更テーブル検索Ｄ／Ｂ１１は、ハードウェアとしては不揮発性のメモリユニット等から成るもので、それぞれ所定の様式に則って各データの書き込みや読み出しを行うものである。
【００１３】
次に動作について説明する。
３次元ＣＡＤ装置２は、設計者の操作に応じて３次元ＣＡＤデータを作成する。この３次元ＣＡＤデータは、設計対象を構成する要素毎に作成される。３次元ＣＡＤ装置２によって作成された３次元ＣＡＤデータは、３次元ＣＡＤデータ管理装置１へ入力され、例えば図示されない入力手段等を介して３次元ＣＡＤデータ管理Ｄ／Ｂ３へ記憶／登録される。３次元ＣＡＤデータ管理Ｄ／Ｂ３に記憶／登録されている３次元ＣＡＤデータについて、３次元ＣＡＤ装置２において設計変更等が行われるとき、データ管理装置１は、３次元ＣＡＤ装置２によって指定された３次元ＣＡＤデータを３次元ＣＡＤデータ管理Ｄ／Ｂ３から取り出し、３次元ＣＡＤ装置２へ当該データを入力する。この後のデータ管理装置１の動作を説明する。
図２は、実施形態１によるデータ管理装置の動作を示すフローチャートである。設計変更テーブル作成登録部７は、重複しない名称を設定して設計変更テーブル８の「テーブル名称」の欄に記載し、当該名称を有する設計変更テーブル８を作成する（ステップＳＴ１０１）。
【００１４】
次に、データ構成テーブル作成登録部４は、設計変更を行う元データの３次元ＣＡＤデータに関するデータ構成テーブル５を作成し、重複しない名称をこのデータ構成テーブル５に設定してデータ構成管理Ｄ／Ｂ６へ登録する（ステップＳＴ１０２）。
設計変更テーブル作成登録部７は、このときデータ構成テーブル作成登録部４が設定したデータ構成テーブル５の名称を設計変更テーブル８の「元データ」の欄へ格納する（ステップＳＴ１０３）。次に設計変更テーブル作成登録部７は、設計変更要件に基づき適用する評価方法を設計変更テーブル８の「評価方法」の欄に記載する（ステップＳＴ１０４）。設計変更要件に基づいて適用する評価方法の設定は、例えば設計者が操作する３次元ＣＡＤ装置２において行われ、この評価方法を示すデータを３次元ＣＡＤ装置２からデータ管理装置１へ入力して上記のような処理が行われる。
次に、データ構成テーブル作成登録部４は、検討案として設計内容を変更した３次元ＣＡＤデータに関するデータ構成テーブル５を作成し、既に作成されているものと重複しない名称をこれに設定してデータ構成管理Ｄ／Ｂ６に登録する（ステップＳＴ１０５）。以下、この設計内容を変更した３次元ＣＡＤデータを候補データと記載する。
設計変更テーブル作成登録部４は、ステップＳＴ１０５において作成されたデータ構成テーブル５の名称を設計変更テーブル８の「候補データ」の欄に格納する（ステップＳＴ１０６）。
【００１５】
例えば図１に図示されない評価手段等により、ステップＳＴ１０４において設計変更テーブル８に記載した「評価方法」を候補データに施す。設計変更テーブル作成登録部７は、このとき得られた各評価結果を設計変更テーブル８の「評価値」の欄に格納する（ステップＳＴ１０７）。さらに、各評価値に対して総合評価値を所定の計算により求め、算出した値を設計変更テーブル８の「総合評価値」の欄に格納する（ステップＳＴ１０８）。なお、上記の評価手段は、データ管理装置１または３次元ＣＡＤ装置２のどちらに備えてもよく、３次元ＣＡＤ装置２へ備えた場合は、求めた「評価値」及び「総合評価値」をデータ管理装置１へ入力する。上記の評価手段は、例えば解析ツールやシミュレーションツールである。
【００１６】
このようにして求めた総合評価値を、例えば、３次元ＣＡＤ装置２を用いて設計者に示し、設計変更要件を満たす結果が得られるまで当該設計者に、別の検討案として更に変更を加えた、あるいは元データへ新たに変更を加えた３次元ＣＡＤデータの作成を促し、ステップＳＴ１０５〜ＳＴ１０８の処理過程を繰り返す。
次に、複数の候補データのうち、設計変更要件を満たす候補データを設計変更テーブル８の「選定データ」の欄に格納する（ステップＳＴ１０９）。複数の候補データの中から選定データを選択する処理動作は、上記のような評価手段により所定の値を満たしたものを選択する、または３次元ＣＡＤ装置２を操作させて当該設計変更の作業を行っている設計者に選択させるようにしてもよい。
【００１７】
このようにデータ構成テーブル５と設計変更テーブル８が作成された後、設計変更テーブル検索関連情報登録部１０は、以下に詳述する検索機能で用いるために設計変更テーブル５に記載された選定データと設計変更テーブル８の名称とを、設計変更テーブル検索Ｄ／Ｂ１１に登録する（ステップＳＴ１１０）。最後に設計変更テーブル作成登録部７が、設計変更テーブル８を設計変更管理Ｄ／Ｂ９に登録する（ステップＳＴ１１１）。
【００１８】
図３は、実施の形態１による設計変更テーブル作成登録部の作成する設計変更テーブルを示す説明図である。設計変更テーブル作成登録部７は、テーブル名称の欄２１、元データの欄２２、評価方法の欄２３、候補データの欄２４、選定データの欄２５、評価値の欄２６、及び総合評価値の欄２７の各欄を有する設計変更テーブル８を作成する。評価方法の欄２３、候補データの欄２４、評価値の欄２６、及び総合評価値の欄２７はそれぞれ複数の欄からなる。評価方法の欄２３は、例えばｍ個の欄を備え、評価方法の名称として例えば評価方法１〜ｍを格納する。候補データの欄２４は、例えばｎ個の欄を備えデータ構成テーブル名称１〜ｎを格納する。評価値の欄２６は、例えばｎ×ｍ個の欄を備え評価値（１，１）〜（ｎ，ｍ）を格納する。総合評価値の欄２７はｎ個の欄を備え、総合評価値（１）〜（ｎ）を格納する。
【００１９】
設計変更テーブル作成登録部７は、実施する設計変更作業を識別する名称を設定してテーブル名称の欄２１に格納する。また、設計変更前の元となる３次元ＣＡＤデータに関して作成されるデータ構成テーブル５に設定された名称を、データ構成テーブル作成登録部４から入力して元データの欄２２へ格納する。
評価方法の欄２３には、例えば設計対象の体積、重心、重さ、強度、熱量等を求める方法や製造原価、製作精度等を項目として記載する。これは、設計対象に応じて、かつ変更内容により必須となる要素を評価する方法等が複数記載されるものである。この欄に記載する内容は、例えば前述のように設計変更を行った設計者に設計変更要件を満たす評価方法を検討させ、３次元ＣＡＤ装置２等を用いて適当な評価方法を設定させる、あるいは設計変更テーブル作成登録部７が、予め自らに設定されている評価方法を自動的に選択して記載するようにしてもよい。あるいはデータ管理装置１の内部に別途評価手段を設け、変更内容等に応じて自動的に評価方法を選択し、または設計者に選択させて、設計変更テーブル作成登録部７がその評価方法を設計変更テーブル８へ記載するようにしてもよい。
【００２０】
候補データの欄２４には、データ構成テーブル作成登録部４から入力した、例えばｎ個のデータ構成テーブル５の名称１〜ｎを格納する。なお、データ構成テーブル５の名称１〜ｎは各候補データを識別するものである。
評価値の欄２６には、候補データに評価方法の欄２３に記載された各評価方法１〜ｍを適用して求めたそれぞれの評価値を格納する。
総合評価値の欄２７には、候補データ毎に求めた総合評価値（１）〜（ｎ）が記載される。この総合評価値は、候補データに各評価方法を適用して得られた各評価値をそれぞれ変数とする所定の評価式を用いて求める。
選定データの欄２５には、求めた各総合評価値（１）〜（ｎ）をそれぞれ比較して、例えば設計対象や変更内容に最も適した値を有する候補データを選択し、当該候補データに関するデータ構成テーブル５の名称を格納する。
このようにして作成した設計変更テーブル８を、当該設計変更テーブル８の名称を検索キーとして設計変更管理Ｄ／Ｂ９へ登録する。
【００２１】
図４は、実施の形態１によるデータ構成テーブル作成登録部の作成するデータ構成テーブルを示す説明図である。この図は、図１に示したデータ構成テーブル作成登録部４によって作成されるデータ構成テーブル５を示したもので、当該データ構成テーブル５は、データ名称の欄３１と、データ構成要素１〜ｎをそれぞれ格納する複数の欄からなるデータ構成要素の欄３２とを備える。
データ構成テーブル作成登録部４は、図２を用いて説明したようにステップＳＴ１０２の過程で設定したデータ構成テーブル５の名称を、図４のデータ名称の欄３２へ格納する。また、設計対象を構成する各要素の名称を、例えば設計対象のアセンブリ、サブアセンブリ、部品のような各要素をデータ構成要素１〜ｎとしてデータ構成要素の欄３２へ格納する。このように複数のデータ構成要素１〜ｎからなる構成情報を格納して作成したデータ構成テーブル５を、データ構成テーブル５の名称を検索キーとしてデータ構成管理Ｄ／Ｂ６へ登録する。なお、３次元ＣＡＤデータ管理Ｄ／Ｂ３には、このように設計対象の要素毎に作成された３次元ＣＡＤデータが格納されている。
【００２２】
図５は、実施の形態１による設計変更テーブル検索データベースを示す説明図である。この図は、図１に示した設計変更テーブル検索Ｄ／Ｂ１１に登録される内容を示したものである。設計変更テーブル検索Ｄ／Ｂ１１は、選定データの欄３５と設計変更テーブル名称の欄３６とからなる。
設計変更テーブル検索関連情報登録部１０は、設計変更テーブル作成登録部７から、各設計変更テーブル８の選定データの欄２５に格納する内容を適宜入力し、設計変更テーブル検索Ｄ／Ｂ１１の選定データの欄３５へ格納する。また、同様に設計変更テーブル作成等登録部７から各設計変更テーブル８の名称を入力し、設計変更テーブル名称の欄３６へ格納する。また、選定データの欄３５に格納された選定データは設計変更テーブル名称の欄３６に格納された名称を有する設計変更テーブル８に記載されているものと同一となるように、選定データの欄３５と設計変更テーブル名称の欄３６とを関連付けて設計変更テーブル検索Ｄ／Ｂ１１へ格納する。
このようにして設計変更管理Ｄ／Ｂ９に登録される全ての設計変更テーブル８の名称及びこれらの設計変更テーブル８に関連する選定データ、即ちデータ構成テーブル５の名称を格納する。
【００２３】
ここまで説明したように、３次元ＣＡＤデータに変更を行った場合にデータ管理装置１及び３次元ＣＡＤ装置２が動作し、当該変更作業において検討された内容となる評価値などを設計変更テーブル８として記憶／登録しておき、この後説明するように、例えば設計変更を行った設計者とは別の設計者が、さらに変更等を行うとき、上記の検討された内容などを閲覧できるようにする。３次元ＣＡＤデータは、特に注意書き等を図面の中に記載することが難しいことから、このようなテーブルを作成し、記憶／登録することが必要になる。
なお、ここまでの説明は既に作成されている３次元ＣＡＤデータに、設計変更を行う動作であるが、新規作成の３次元ＣＡＤデータについても同様に処理を行うことにより、設計途中の検討内容を候補データとして記憶／登録しておくことができる。この場合は、「元データ」に該当するものがないので、元データのデータ構成テーブル５は作成されず、また設計変更テーブル８の「元データ」の欄２２などは空欄として処理される。
【００２４】
図６は、実施の形態１による選定理由表示部の出力する選定理由表示対象選択画面を示す説明図である。この図は、図１に示した選定理由表示部１２により生成され、例えば３次元ＣＡＤ装置２の表示手段に表示される選択画面の一例である。この選定理由表示対象選択画面４０には、設計変更テーブル検索Ｄ／Ｂ１１に登録されている全ての選定データの名称４１と、各選定データの名称４１に対応する選択ボタン４２が表示される。
ある設計者により３次元ＣＡＤデータの変更が行われた後、例えば他の設計者が当該変更された３次元ＣＡＤデータの変更理由等を確認するとき、３次元ＣＡＤ装置２等を操作して図６に示した画面を表示させ、画面上に表示された複数の選定データの名称４１の中から所望のものを選択ボタン４２を操作して選択する。
【００２５】
図７は、実施の形態１による選定理由表示部の出力する選定理由表示画面を示す説明図である。この図は、図６に示した選定理由表示対象選択画面４０において所望の選定データが選択されたとき、この選択操作に応じて選定理由表示部１２が例えば３次元ＣＡＤ装置２の表示手段に表示させる選定理由表示画面の一例である。この選定理由表示画面５０には、概ね図３に示した設計変更テーブル８に記載されている各内容が表示され、テーブル名称５１、選定データ５２、元データ５３、候補データ５４、評価方法５５、評価値５６、総合評価値５７、及び選択ボタン５８が表示される。これらのうち候補データ５４、評価値５６、及び総合評価値５７は、設計変更テーブル８に記載されたものと同様に複数表示される。また、選択ボタン５８は、選定データ５２、元データ５３、各候補データ５４に一つずつ対応させて設けられる。
【００２６】
図８は、実施の形態１による選定理由表示部の動作を示すフローチャートである。
選定理由表示部１２は、前述の他の設計者が３次元ＣＡＤ装置２を操作して３次元ＣＡＤデータ管理Ｄ／Ｂ３に格納されている３次元ＣＡＤデータの変更等を行うとき、例えば３次元ＣＡＤ装置２からその旨を示すメッセージ等を、図示されない入力手段等を介して入力すると、図５に示したように設定変更テーブル検索Ｄ／Ｂ１１に登録されている選定データ３５を全て取り出し、これを選定理由表示の選択対象データとして、図６に示したような選定理由表示対象選択画面４０を、例えば３次元ＣＡＤ装置２の表示手段に表示させる（ステップＳＴ２０１）。
【００２７】
この選定理由表示対象選択画面４０に表示されている選定データ４１の中から、所望する「選定データ」を設計者に選択させ、設計変更テーブル検索Ｄ／Ｂ１１に当該「選定データ」と対応させて登録されている「設計変更テーブル」の名称を確定する（ステップＳＴ２０２）。
選定理由表示部１２は、確定した名称を有する「設計変更テーブル」を設計変更管理Ｄ／Ｂに登録されている中から検索し、その「設計変更テーブル」の内容を例えば３次元ＣＡＤ装置２の表示手段に表示させる（ステップＳＴ２０３）。このときの表示は、図７に示した選択理由表示画面５０のように行う。
【００２８】
図９は、実施の形態１によるデータ管理装置の３次元ＣＡＤデータ取り出し部の動作を示すフローチャートである。
選定理由表示部１２が図７に示した選定理由表示画面５０を例えば３次元ＣＡＤ装置２に表示させているとき、３次元ＣＡＤデータ取り出し部１３は、３次元ＣＡＤ装置２になされた操作に基づいて次のように動作する。
【００２９】
選定理由表示画面５０には、選定データ５２、元データ５３、複数の候補データ５４として設定された各データ構成テーブル５の名称が、それぞれ選択ボタン５８と対応して表示されている。これらの項目の中から表示を所望するものを、設計者に選択ボタン５８を操作させて選択させる（ステップＳＴ３０１）。３次元ＣＡＤデータ取り出し部１３は、選択された名称を有するデータ構成テーブル５をデータ構成管理Ｄ／Ｂ６から検索する（ステップＳＴ３０２）。検索したデータ構成テーブル５に記載されている全てのデータ構成要素に該当する３次元ＣＡＤデータを、３次元ＣＡＤデータ管理Ｄ／Ｂ３から取り出す（ステップＳＴ３０３）。３次元ＣＡＤデータ管理Ｄ／Ｂ３から取り出した３次元ＣＡＤデータを３次元ＣＡＤ装置２へ出力し、当該３次元ＣＡＤデータが示す設計対象の画像を表示させる（ステップＳＴ３０４）。
このように設計変更が行われた３次元ＣＡＤデータに関する、元データ、候補データ、選択データのいずれかを表示し、検討案となった候補データを含めて後から変更内容の経過過程を知ることができるようにする。
【００３０】
図１に示したデータ管理装置１は、外部に設けた３次元ＣＡＤ装置２を接続したものであるが、３次元ＣＡＤ装置２に備えられた各機能をデータ管理装置１に備え、これらの装置を一体化して構成してもよい。また、データ管理装置１に接続される３次元ＣＡＤ装置２は、データ管理装置１に複数台の３次元ＣＡＤ装置２の入出力データを処理するデータ入出力手段を備え、各３次元ＣＡＤ装置２により作成または設計変更される３次元ＣＡＤデータを管理するように構成した場合も同様な作用効果が得られる。
また、データ管理装置１及び３次元ＣＡＤ装置２にそれぞれ通信手段を備え、複数の３次元ＣＡＤ装置２とデータ管理装置１とを通信回線で接続し、各地に設置された３次元ＣＡＤ装置２により作成または設計変更された３次元ＣＡＤデータを管理するデータ管理システムを構成した場合も同様な作用効果が得られる。
【００３１】
以上のように実施の形態１によれば、設計変更を行う前の元データ、検討案となった候補データ、最終的に設計変更内容として決定した選定データとを記載した設計変更テーブル８を作成して、この設計変更テーブル８をデータベース登録し、後にこの設計変更テーブル８に記載された各内容を、例えば設計者端末としての３次元ＣＡＤ装置２へ表示するようにしたので、設計改定ノウハウの効率的な蓄積及び共有化を実現し、担当以外の設計者が設計変更の意図を容易に把握することができるという効果がある。
【図面の簡単な説明】
【００３２】
【図１】この発明の実施の形態１による３次元ＣＡＤ管理装置の構成を示すブロック図である。
【図２】実施形態１によるデータ管理装置の動作を示すフローチャートである。
【図３】実施の形態１による設計変更テーブル作成登録部の作成する設計変更テーブルを示す説明図である。
【図４】実施の形態１によるデータ構成テーブル作成登録部の作成するデータ構成テーブルを示す説明図である。
【図５】実施の形態１による設計変更テーブル検索データベースを示す説明図である。
【図６】実施の形態１による選定理由表示部の出力する選定理由表示対象選択画面を示す説明図である。
【図７】実施の形態１による選定理由表示部の出力する選定理由表示画面を示す説明図である。
【図８】実施の形態１による選定理由表示部の動作を示すフローチャートである。
【図９】実施の形態１によるデータ管理装置の３次元ＣＡＤデータ取り出し部の動作を示すフローチャートである。
【符号の説明】
【００３３】
１  データ管理装置、２  ３次元ＣＡＤ装置、３  ３次元ＣＡＤデータ管理Ｄ／Ｂ、４  データ構成テーブル作成登録部、５  データ構成テーブル、６  データ構成管理Ｄ／Ｂ、７  設計変更テーブル作成登録部、８  設計変更テーブル、９  設計変更管理Ｄ／Ｂ、１０  設計変更テーブル検索関連情報登録部、１１  設計変更テーブル検索Ｄ／Ｂ、１２  選定理由表示部、１３  ３次元ＣＡＤデータ取り出し部、２１  テーブル名称の欄、２２  元データの欄、２３  評価方法の欄、２４  候補データの欄、２５  選定データの欄、２６  評価値の欄、２７  総合評価値の欄、３１  データ名称の欄、３２  データ構成要素の欄、３５  選定データの欄、３６  設計変更テーブル名称の欄、４０  選定理由表示対象選択画面、４１  選定データ、４２  選択ボタン、５０  選定理由表示画面、５１  テーブル名称、５２  選定データ、５３  元データ、５４  候補データ、５５  評価方法、５６  評価値、５７  総合評価値、５８  選択ボタン。
【図１】
2006146698.tif 000003
【図２】
2006146698.tif 000004
【図３】
2006146698.tif 000005
【図４】
2006146698.tif 000006
【図５】
2006146698.tif 000007
【図６】
2006146698.tif 000008
【図７】
2006146698.tif 000009
【図８】
2006146698.tif 000010
【図９】
2006146698.tif 000011